(57)【要約】  本発明は、少なくとも１つの貴石又は非貴石（７，７’）を受けるための少なくとも１つのハウジング（６）を備え、該ハウジング（６）が、設定端部（６１）と呼ばれる少なくとも１つの第１の端部（６１）とレール（８）とを有する、時計構成部品（１）に関する。レール（８）は、ハウジング（６）の周縁全体にわたっており、該レール（８）は、ハウジング（６）の第１の端部（６１）にてレール（８）に１又は複数の前記貴石又は非貴石（７，７’）を挿入できるように配置されて、１又は複数の貴石又は非貴石（７，７’）が、ハウジング（６）の長手方向軸線に沿ってレール（８）内を滑動することができ、ハウジング（６）の長手方向軸線に垂直な方向でレール（８）に挿入されると貴石又は非貴石（７，７’）を保持するようにする。【選択図】      図１
2020510216.tif 000002
【特許請求の範囲】
【請求項１】
少なくとも１つの貴石又は非貴石（７，７’）を受けるための少なくとも１つのハウジング（６）を備え、前記ハウジング（６）が、設定端部（６１）と呼ばれる少なくとも１つの第１の端部（６１）とレール（８）とを有する、時計構成部品（１）であって、
前記レール（８）が前記ハウジング（６）の周縁にわたっており、該レール（８）は、前記ハウジング（６）の第１の端部（６１）にて前記レール（８）に１又は複数の前記貴石又は非貴石（７，７’）を挿入できるように構成され、前記１又は複数の貴石又は非貴石（７，７’）が、前記ハウジング（６）の長手方向軸線に沿って前記レール（８）内を滑動することができ、前記ハウジング（６）の長手方向軸線に垂直な方向で前記レール（８）に挿入されると前記貴石又は非貴石（７，７’）を保持するようにする、ことを特徴とする時計構成部品（１）。
【請求項２】
前記ハウジング（６）の第１の端部（６１）に配置され、前記レール（８）に挿入された前記貴石又は非貴石（７，７’）が前記ハウジング（６）の第１の端部（６１）を通って放出されるのが妨げられない第１の位置と、前記レール（８）に挿入された前記貴石又は非貴石（７，７’）が前記レール（８）及び前記ハウジング（６）から放出されるのが妨げられる第２の位置との間で変形可能に構成される設定要素（９）を更に備える、ことを特徴とする、請求項１に記載の時計構成部品（１）。
【請求項３】
前記ハウジング（６）は貫通している、ことを特徴とする請求項１又は２に記載の時計構成部品（１）。
【請求項４】
前記レール（８）は、前記ハウジング（６）の周縁全体にわたって連続している上側レール（８１）と、前記ハウジング（６）の周縁全体にわたって隙間（８４）と交互するタブ（８３）から形成される下側レール（８２）とを含み、前記上側レール（８１）と前記下側レール（８２）との間で前記レール（８）内に前記貴石又は非貴石（７，７’）を挿入できるようにするために、前記ハウジング（６）の第１の端部（６１）にはタブ（３８）が存在しない、ことを特徴とする請求項１〜３の何れか一項に記載の時計構成部品（１）。
【請求項５】
前記ハウジング（６）が、バゲットの形態で少なくとも１つの貴石又は非貴石（７，７’）を受けることを意図としている、ことを特徴とする請求項１〜４の何れか一項に記載の時計構成部品（１）。
【請求項６】
前記時計構成部品（１）が時計針（１）である、ことを特徴とする請求項１〜５の何れか一項に記載の時計構成部品（１）。
【請求項７】
請求項１〜６の何れか一項に記載の時計構成部品を備えた時計。
【請求項８】
請求項１〜７の何れか一項に記載の時計構成部品において、少なくとも１つの貴石又は非貴石（７，７’）を設定する方法であって、
（ａ）前記ハウジング（６）の第１の端部（６１）を通じて前記レール（８）に前記貴石又は非貴石（７，７’）を１つずつ挿入するステップと、
（ｂ）前記貴石又は非貴石（７，７’）をそれらの最終位置と同程度まで前記レール（８）にて滑動させるステップと、
（ｃ）前記設定要素（９）を変形させて、前記貴石又は非貴石（７，７’）が前記レール（８）及び前記ハウジング（６）から放出されるのが妨げられる第２の位置に至るようにするステップと、
を含む、方法。
【発明の詳細な説明】
【技術分野】
【０００１】
本発明は、少なくとも１つの貴石又は非貴石を設定することができる時計構成部品に関する。本発明は特に、時計針に関する。
【背景技術】
【０００２】
時計針は、一般に、細く壊れやすい要素である。時計針を装飾するため、又はより見やすくするために、発光塗料を用いて時計針の凹部を覆う又は充填すること、或いは、針に貴石又は非貴石を設定することは知られている。しかしながら、時計針と同程度脆い構成部品上に石を設定する従来的な方法は、石の形状（ＣＨ３４５７号に概略的に示されたようにファセット又は平坦）に関係なく、時計針を変形させる大きなリスクがある。
【０００３】
欧州特許第０  ５７４  ３６０号明細書には、貴石又は非貴石を受ける少なくとも１つのハウジングと、針の長手方向軸線に沿ってハウジングの両側で延びる２つのストリップの形状を有し、且つ石をハウジング内部に保持する締結手段とを備えた時計針が記載されている。これらのストリップは、ハウジング内に石を設定するために展性を有する必要がある。従来の設定と同様に、石を十分に固定するためにこれらのストリップを変形させることにより、時計針の変形を引き起こす可能性がある。加えて、本明細書において、上記締結ストリップは、針の平面に非平行な別個の平面内にあり、これは、上記針の高さ及び容積を増大させ、針の全体外観を損なう。
【先行技術文献】
【特許文献】
【０００４】
【特許文献１】スイス国特許３４５７号明細書
【特許文献２】欧州特許第０５７４３６０号明細書
【発明の概要】
【０００５】
本発明は、貴石又は非貴石を設定することができ、これにより上記石の設定を容易且つ確実にでき、また設定中の構成部品の変形を制限しながら見た目を魅力的にすることができる、時計構成部品、特に時計針を製作することを目的とする。
【０００６】
本発明は、請求項１にて特許請求された時計構成部品、上記時計構成部品を備えた時計、並びに上記時計構成部品に貴石又は非貴石を設定する方法に関する。
【０００７】
添付図面は、本発明の１つの実施形態を例証している。
【図面の簡単な説明】
【０００８】
【図１】上方からの斜視図で見た本発明による長針を示す図である。
【図２】下方からの斜視図で見た本発明による長針を示す図である。
【図３】石を設定する前の図１の針の上方から見た図である。
【図４】石を設定する前の図１の針の下方から見た図である。
【図５】図４の針の先端の詳細図である。
【図６】図３の針の軸Ａ−Ａに沿った断面図である。
【図７】ハウジングに石が設定されたときの図１の針の上方から見た図である。
【図８】ハウジングに石が設定されたときの図１の針の下方から見た図である。
【図９】図７の針の軸Ｃ−Ｃに沿った断面図である。
【図１０】図８の針の軸Ｃ−Ｃに沿った断面図である。
【図１１】図１０の詳細図である。
【発明を実施するための形態】
【０００９】
図面に例示された実施形態において、本発明による時計構成部品は、時計ムーブメントを装着するための針１、詳細には長針である。針１は、ヘッド２が先端４で終端するプレート３によって形成された主本体に接続される従来手法で形成される。バレル５は、ムーブメントの分用筒かな上に針１を固定するためヘッド２を貫通している。
【００１０】
本発明によれば、針１は、プレート３において少なくとも１つの貴石又は非貴石７，７’を受けるための少なくとも１つのハウジング６を備える。好ましくは、ハウジング６は、貫通しており、すなわち、ベース部を有していない。例示の実施形態において、ハウジング６は、バゲット形状、詳細にはバゲットダイアモンド形状を有する４つの貴石７，７’を受けるような形状にされ、針１の先端４と同程度まで延びている。上記ハウジング６は、詳細には、設定端部６１と呼ばれる第１の端部と、先端部６２と呼ばれる第２の端部とを備える。
【００１１】
ハウジング６は、周縁全体にわたってレール８を有する。一般に、レール８は、石７，７’を該レール８に挿入し且つハウジング６の長手方向軸線に沿って滑動できるようにし、少なくとも最終設定位置にあるときに、ハウジングの長手方向軸に垂直な２つの方向で石７，７’を保持するような形状にされる。
【００１２】
図面に例示された実施形態において、レール８は、針１を上方から見たときに可視となり、ハウジング６の周縁全体にわたって連続的な上側レール８１を備える（特に図１、３、７を参照）。下側レール８２は、上側レール８１を補完する。下側レール８２は、非連続であり、すなわち、図４で例示されるように、隙間８４によって離隔される複数のタブ８３から形成される。タブ８３は、ハウジング６の周縁にわたって分散配置され、最終設定位置にある（図８、１０及び１１を参照）ときに４つの石７，７’の各々を保持することを可能にし、また、設定の際にレール８に石７，７’を挿入することを可能にする。このため、図４、６及び８に例示されるように、ハウジング６の設定端部６１にはタブ８３は存在せず、設定の際にレール８に挿入を可能にするため石７，７’の傾動を可能にする。
【００１３】
例示された実施形態において、ヘッドの先端４に一致するような尖鋭の形状を有するハウジング６の先端部６２における隙間８４’は、好ましくは、先端石７’の好適な位置付けを可能にするような特定の形状を有し、その特定のファセットが、針１の先端４の形状に従って切削されている。
【００１４】
最後に、針１は更に、ハウジング６の設定端部６１にてプレート３上に配置された設定スタブ９を備える。設定スタブ９は、変形可能であり、変形後、石が最終位置に設定されるとハウジング６内で石７，７’を封鎖することができる。図９は、最終設定位置にある石と変形前の設定スタブ９とを例示しており、設定スタブ９が最後の石の上に折り重ねられると、移動方向（ハウジング６の長手方向軸線に平行又は垂直）に関係なく、レール８内で上記石７が移動することはもはや不可能である。
【００１５】
針１における石７，７’の設定について、以下で詳細に記載する。
【００１６】
好ましくは、針１は、針１の形状で凹部を含む取付具に表を下にして配置されて、上記ハウジング６が本実施形態では貫通していることに起因して、針１及びハウジング６の「引き裂き」を回避するようにする。
【００１７】
例示された実施形態において、４つの石７，７’は、バゲットダイアモンドであり、これらの１つは、針１の先端４の形状と一致するような尖鋭端部を有する。
【００１８】
石７，７’は、端部石７’から始めて、ハウジング６の設定端部６１を通じてレール８に１つずつ挿入される。上記設定端部６１は、レール８の下側レール８２上にタブ８３を備えていないので、傾動することによって各石７，７’を上側レール８１と下側レール８２の間に挿入することが可能である。
【００１９】
石７，７’の各々は、最終位置までレール８内を滑動する。全ての石７，７’がそれらの最終位置にあると、設定スタブ９が変形して最後の石の上に折り返されて、ハウジング６の長手方向軸線に垂直な方向で封鎖し、また、上記長手方向軸線に平行な方向で全ての石７，７’を封鎖する。従って、石７，７’は、レール８内をもはや滑動せず、ハウジング６の設定端部６１を通ってレール８の外に傾くこともできない。
【００２０】
ハウジング６内で石７，７’を確実に封鎖するのに必要な設定スタッドの変形は最小限に過ぎず、針１に対して作用する僅かな力だけが発生し、これにより針１が全体として変形するリスクが回避される。
【００２１】
好ましくは、中央の石１０は依然として、針１のバレル５において従来方式で設定される。その場合、装備することが意図された時計ムーブメントの分用筒かな上に針１を適切に挿入するのを確実にするためには、上記針１のバレル５は更に、好ましくは２つのスロット５１を備える。これらのスロット５１は、中央の石１０の設定後でも、分用筒かなの調整のためバレル５を方形にすることができる。
【００２２】
これにより、完璧な外観（図１及び７を参照、上方から可視である上側レール８１が連続であり、これにより針が時計ムーブメント上で最終位置に装着されたときに、針の下面上に配置された設定スタブ９が隠れている）を維持しながらも、１又は２以上の貴石又は非貴石を容易且つ確実に設定することができる時計構成部品が製作される。加えて、上記構成部品の変形を生じる可能性がある設定中の構成部品に作用する力は、大幅に低減することができ、そのサイズを大きく縮小できる単一の要素（スタッド）だけが変形する必要がある。設定は、更に大幅に容易になる（特に時間が節減される）。
【図１】
2020510216.tif 000003
【図２】
2020510216.tif 000004
【図３】
2020510216.tif 000005
【図４】
2020510216.tif 000006
【図５】
2020510216.tif 000007
【図６】
2020510216.tif 000008
【図７】
2020510216.tif 000009
【図８】
2020510216.tif 000010
【図９】
2020510216.tif 000011
【図１０−１１】
2020510216.tif 000012
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
少なくとも１つの貴石又は非貴石（７，７’）を受けるための少なくとも１つのハウジング（６）を備え、前記ハウジング（６）が、設定端部（６１）と呼ばれる少なくとも１つの第１の端部（６１）とレール（８）とを有する、時計用針（１）であって、
前記レール（８）が前記ハウジング（６）の周縁にわたっており、該レール（８）は、前記ハウジング（６）の第１の端部（６１）にて前記レール（８）に１又は複数の前記貴石又は非貴石（７，７’）を挿入できるように構成され、前記１又は複数の貴石又は非貴石（７，７’）が、前記ハウジング（６）の長手方向軸線に沿って前記レール（８）内を滑動することができ、前記ハウジング（６）の長手方向軸線に垂直な方向で前記レール（８）に挿入されると前記貴石又は非貴石（７，７’）を保持するようにする、ことを特徴とする時計用針（１）。
【請求項２】
前記ハウジング（６）の第１の端部（６１）に配置され、前記レール（８）に挿入された前記貴石又は非貴石（７，７’）が前記ハウジング（６）の第１の端部（６１）を通って放出されるのが妨げられない第１の位置と、前記レール（８）に挿入された前記貴石又は非貴石（７，７’）が前記レール（８）及び前記ハウジング（６）から放出されるのが妨げられる第２の位置との間で変形可能に構成される設定要素（９）を更に備える、ことを特徴とする、請求項１に記載の時計用針（１）。
【請求項３】
前記ハウジング（６）は貫通している、ことを特徴とする請求項１又は２に記載の時計用針（１）。
【請求項４】
前記レール（８）は、前記ハウジング（６）の周縁全体にわたって連続している上側レール（８１）と、前記ハウジング（６）の周縁全体にわたって隙間（８４）と交互するタブ（８３）から形成される下側レール（８２）とを含み、前記上側レール（８１）と前記下側レール（８２）との間で前記レール（８）内に前記貴石又は非貴石（７，７’）を挿入できるようにするために、前記ハウジング（６）の第１の端部（６１）にはタブ（３８）が存在しない、ことを特徴とする請求項１〜３の何れか一項に記載の時計用針構成部品（１）。
【請求項５】
前記ハウジング（６）が、バゲットの形態で少なくとも１つの貴石又は非貴石（７，７’）を受けることを意図している、ことを特徴とする請求項１〜４の何れか一項に記載の時計用針（１）。
【請求項６】
請求項１〜５の何れか一項に記載の時計構成部品を備えた時計。
【請求項７】
請求項２〜６の何れか一項に記載の時計構成部品において、少なくとも１つの貴石又は非貴石（７，７’）を設定する方法であって、
（ａ）前記ハウジング（６）の第１の端部（６１）を通じて前記レール（８）に前記貴石又は非貴石（７，７’）を１つずつ挿入するステップと、
（ｂ）前記貴石又は非貴石（７，７’）をそれらの最終位置と同程度まで前記レール（８）にて滑動させるステップと、
（ｃ）前記設定要素（９）を変形させて、前記貴石又は非貴石（７，７’）が前記レール（８）から放出されるのが妨げられる第２の位置に至るようにするステップと、
を含む、方法。
【国際調査報告】
2020510216.tif 000013
2020510216.tif 000014
2020510216.tif 000015
2020510216.tif 000016
2020510216.tif 000017
2020510216.tif 000018